(57)【要約】本発明は、空気清浄機及びその制御方法に関する。本発明の実施例に係る空気清浄機には、ファン及びフィルター部材をそれぞれ備え、上下方向に配列される複数の空気清浄モジュールと；前記複数の空気清浄モジュールの上側に備えられ、循環ファンを有する流動調節装置と；室内空間の汚染度を感知するセンサ装置と；前記複数の空気清浄モジュール又は流動調節装置の運転のために、運転モードに関する命令が入力される入力部と；前記入力部で入力された運転モード又は前記センサ装置で感知された汚染度に基づいて、前記ファン又は前記循環ファンを選択的に駆動し、吐出風量を決定する制御部とが含まれる。【選択図】図１５
2019504278.tif 000002
【特許請求の範囲】
【請求項１】
空気清浄機であって、
ファン及びフィルター部材をそれぞれ備えた、上下方向に配列される複数の空気清浄モジュールと、
前記複数の空気清浄モジュールの上側に備えられ、循環ファンを有する流動調節装置と、
室内空間の汚染度を感知するセンサ装置と、
前記複数の空気清浄モジュール又は流動調節装置の運転のために、運転モードに関する命令が入力される入力部と、
前記入力部で入力された運転モード又は前記センサ装置で感知された汚染度に基づいて、前記ファン又は前記循環ファンを選択的に駆動し、吐出風量を決定する制御部とを備えてなる、空気清浄機。
【請求項２】
前記運転モードには、
前記複数の空気清浄モジュール及び前記流動調節装置のうち、
運転される装置及び風量を選択できる手動運転モードが含まれる、請求項１に記載の空気清浄機。
【請求項３】
前記運転モードには、
前記センサ装置によって感知された汚染度に応じて、前記複数の空気清浄モジュール及び前記流動調節装置のうち、運転される装置を決定する自動運転モードが含まれる、請求項１に記載の空気清浄機。
【請求項４】
前記自動運転モードが行われると、
前記汚染度に関するレベルが増加するにつれて、前記複数の空気清浄モジュール及び前記流動調節装置のうち、運転される装置の数を増加させることを特徴とする、請求項１に記載の空気清浄機。
【請求項５】
前記汚染度に関するレベルが第１基準汚染度以下であると、
前記制御部は、前記複数の空気清浄モジュールのうち一のモジュールが運転されるように制御する、請求項４に記載の空気清浄機。
【請求項６】
前記複数の空気清浄モジュールは、下部モジュール及び上部モジュールを備えてなり、
前記一のモジュールは、前記下部モジュールを備えてなる、請求項５に記載の空気清浄機。
【請求項７】
前記汚染度に関するレベルが前記第１基準汚染度以上、第２基準汚染度以下であると、
前記制御部は、前記複数の空気清浄モジュールが全て運転されるように制御する、請求項５に記載の空気清浄機。
【請求項８】
前記汚染度に関するレベルが前記第２基準汚染度以上であると、
前記制御部は、前記複数の空気清浄モジュール及び前記流動調節装置が運転されるように制御する、請求項７に記載の空気清浄機。
【請求項９】
前記センサ装置は塵埃センサ及びガスセンサを備えてなり、
前記汚染度は、前記塵埃センサ及びガスセンサで感知された情報に基づいて決定されたレベル情報であることを特徴とする、請求項８に記載の空気清浄機。
【請求項１０】
前記自動運転モードが行われると、
前記制御部は、前記汚染度に関するレベルに関係なく、前記運転される装置が予め設定された風量を吐出するように制御することを特徴とする、請求項４に記載の空気清浄機。
【請求項１１】
前記運転モードには、
前記複数の空気清浄モジュールのうち下部モジュールが運転され、前記汚染度に関するレベルに応じて風量が決定される下部モジュール集中運転モードがさらに含まれる、請求項１に記載の空気清浄機。
【請求項１２】
空気清浄機の制御方法であって、
前記空気清浄機は、第１送風ファン、第１吸込部及び第１吐出部を有する下部空気清浄モジュールと、
第２吸込部及び第２送風ファンを有する上部空気清浄モジュールと、
前記上部空気清浄モジュールを通過した空気を排出する第２吐出部及び循環ファンを有する流動調節装置とが備えてなるものであり、
入力部を介して運転モードが選択されるステップと、
前記運転モードのうち自動運転モードが選択されると、室内空間の汚染度が感知されるステップと、
前記汚染度に基づいて、
前記下部空気清浄モジュールの単独運転、
前記下部空気清浄モジュール及び前記上部空気清浄モジュールの組み合わせ運転、又は
前記下部空気清浄モジュール、前記上部空気清浄モジュール及び前記流動調節装置の組み合わせ運転が行われるステップとを含んでなる、空気清浄機の制御方法。
【請求項１３】
前記下部空気清浄モジュールの単独運転は、前記汚染度が第１基準汚染度以下であるときに運転され、
前記下部空気清浄モジュール及び前記上部空気清浄モジュールの組み合わせ運転は、前記汚染度が前記第１基準汚染度以上、第２基準汚染度以下であるときに運転され、
前記下部空気清浄モジュール、前記上部空気清浄モジュール及び前記流動調節装置の組み合わせ運転は、前記汚染度が前記第２基準汚染度以上であるときに運転される、請求項１２に記載の空気清浄機の制御方法。
【請求項１４】
前記運転モードは、下部モジュール集中運転モードをさらに含んでなり、
前記下部モジュール集中運転モードが選択されると、
前記センサ装置で感知された汚染度が増加するにつれて、前記下部空気清浄モジュールから吐出される風量が増加するように制御されるステップをさらに含んでなる、請求項１２に記載の空気清浄機の制御方法。
【請求項１５】
前記下部空気清浄モジュールの単独運転は第１風量を吐出し、
前記下部空気清浄モジュール及び前記上部空気清浄モジュールの組み合わせ運転は第２風量を吐出し、
前記下部空気清浄モジュール、前記上部空気清浄モジュール及び前記流動調節装置の組み合わせ運転は第３風量を吐出し、
前記第２風量は前記第１風量よりも大きく、前記第３風量は前記第２風量よりも大きいことを特徴とする、請求項１２に記載の空気清浄機の制御方法。
【請求項１６】
空気清浄機であって、
ファン及びフィルター部材をそれぞれ備え、上下方向に配列される複数の空気清浄モジュールと、
前記複数の空気清浄モジュールの上側に備えた、循環ファンを有する流動調節装置と、
前記複数の空気清浄モジュール又は流動調節装置の運転のために、運転モードに関する命令が入力される入力部と、
前記入力部で入力された運転モードに基づいて、前記複数の空気清浄モジュールにそれぞれ備えられるファン又は前記循環ファンから吐出される風量を調節する制御装置とを備えてなる、空気清浄機。
【請求項１７】
前記運転モードには、
前記複数の空気清浄モジュール及び流動調節装置のうち、運転される装置又は風量を選択できる手動運転モードと、
室内空間の汚染度に基づいて、前記制御装置が前記複数の空気清浄モジュール及び流動調節装置のうち、運転される装置又は風量を決定する自動運転モードと、
前記室内空間の汚染度に基づいて、前記制御装置が前記複数の空気清浄モジュールのうち下部空気清浄モジュールの風量を決定する下部モジュール集中運転モードとが含まれる、請求項１６に記載の空気清浄機。
【請求項１８】
前記汚染度が前記基準汚染度の範囲内にあるとき、
前記自動運転モードが選択されると、前記制御部は、前記複数の空気清浄モジュールが第１風量をそれぞれ吐出するように制御する、請求項１７に記載の空気清浄機。
【請求項１９】
前記汚染度が前記基準汚染度の範囲内にあるとき、
前記下部モジュール集中運転モードが選択されると、前記制御部は、前記下部空気清浄モジュールが第２風量を吐出するように制御し、
前記第２風量は前記第１風量よりも大きいことを特徴とする、請求項１８に記載の空気清浄機。
【請求項２０】
前記複数の空気清浄モジュールは、互いに独立した空気流動を発生させる上部空気清浄モジュール及び下部空気清浄モジュールを備えてなり、
前記流動調節装置は、前記上部空気清浄モジュールから発生した空気流動を制御することを特徴とする、請求項１６に記載の空気清浄機。
【発明の詳細な説明】
【技術分野】
【０００１】
本発明は、空気清浄機及びその制御方法に関する。
【背景技術】
【０００２】
空気清浄機は、汚染された空気を吸い込んで浄化した後、浄化した空気を排出させる装置として理解される。一例として、空気清浄機には、外部の空気を空気清浄機の内部に流入させるための送風装置、及び空気中の塵埃や細菌などをろ過できるフィルターが含まれ得る。
【０００３】
一般に、空気清浄機は、家庭や事務室のような室内空間を浄化するように構成される。従来の空気清浄機によれば、その容量が制限されて室内空間全体の空気を浄化させることが制限されるという問題があった。したがって、前記空気清浄機の周辺の空気は浄化できる反面、前記空気清浄機から遠く離れた空間の空気は浄化することが難しいという問題があった。
【０００４】
これを解決するために、空気清浄機に備えられるファンの性能を改善させる努力があったが、ファンの送風量が大きくなるほど、ファンから発生する騒音が大きくなってしまい、製品に対する信頼性が低下するという問題があった。
【０００５】
結局、空気清浄機の制限された容量によって、使用者は、空気清浄機を移動させながら、所望の空間の空気を浄化させなければならないという不便さがあった。
【０００６】
従来の空気清浄機に関連して、本出願人は、以下のような先行文献を開示している。
【０００７】
１．公開番号（公開日）：ＫＲ１０−２０１２−００７１９９２（２０１２年７月３日）
【０００８】
２．発明の名称：空気清浄機
【０００９】
前記先行文献によれば、空気清浄機の本体は、略直方体形状のケースの内部に、ファンとフィルターのような空気清浄部品が設けられる。そして、空気吸込口は、空気清浄機の本体の側方部及び下部に形成され、空気吐出口は、本体の上部に形成される。
【００１０】
このような構成によれば、空気清浄機を基準として、制限された方向、すなわち、側方及び下方から汚染された空気が吸い込まれるため、吸込容量が少なくなるという問題があった。そして、直方体形状を有するケースの角部は、空気の吸い込みを妨げる構造的な抵抗として作用するようになる。
【００１１】
また、前記空気清浄機の内部で浄化された空気は、一方向、すなわち、上方にのみ吐出されることによって、空気清浄機の周辺の空気は浄化できる反面、前記空気清浄機から遠く離れた空間までは前記浄化された空気を流動させることができないため、空気清浄機能が制限されるという問題があった。
【００１２】
また、前記空気清浄機の本体の内部には一つの送風ファンのみが提供されることによって、送風容量が制限されるという問題があった。
【発明の概要】
【発明が解決しようとする課題】
【００１３】
本実施例は、上記の問題点を解決するために、空気清浄される空間（以下、清浄空間）の大きさに応じて、吐出される風量を調節できる空気清浄機を提供することを目的とする。特に、要求される空気清浄量に基づいて、多数のモジュールを独立して駆動できる空気清浄機を提供することを目的とする。
【００１４】
また、センサ装置を介して空気汚染度（又は空気清浄度）を決定し、決定された空気汚染度に基づいて前記多数のモジュールを選択的に駆動できる空気清浄機を提供することを目的とする。特に、前記空気汚染度が増加するほど、運転されるモジュールの数を増加させることができる空気清浄機を提供することを目的とする。
【００１５】
また、多数の運転モードが備えられることで、使用者の好みに合わせて運転を制御できる空気清浄機を提供することを目的とする。特に、手動運転モード、自動運転モード、及び下部モジュール集中運転モードを介して清浄空間を容易に調和することができる空気清浄機を提供することを目的とする。
【００１６】
また、空気清浄機に吸い込まれる空気の吸込容量を改善できる空気清浄機を提供することを目的とする。特に、空気清浄機の円周方向から空気清浄機の内部に向かう吸込流路と、空気清浄機の上部及び下部を介して流入する吸込流路とが含まれることで、室内にいる者が座っていたり、立っていても、その周辺の空気を十分に吸い込むことができる空気清浄機を提供することを目的とする。
【００１７】
また、本実施例は、空気清浄機から吐出される空気が様々な方向に吐出され、且つ、遠い距離まで到達できるようにする空気清浄機を提供することを目的とする。特に、空気清浄機を中心に上方、前方及び左右方向に向かって吐出気流が容易に発生して、室内にいる者が座っていたり、立っていても、その周辺空間に向かって空気を容易に吐出することができる空気清浄機を提供することを目的とする。
【００１８】
また、空気清浄機の運転情報を外部に容易に表示できるディスプレイ装置が備えられる空気清浄機を提供することを目的とする。特に、前記ディスプレイ装置が回転可能な流動調節装置に備えられるようにして、流動調節装置の回転した位置に関係なく空気清浄機の運転情報を容易に確認できる空気清浄機を提供することを目的とする。
【課題を解決するための手段】
【００１９】
本発明の実施例に係る空気清浄機には、ファン及びフィルター部材をそれぞれ備え、上下方向に配列される複数の空気清浄モジュールと；前記複数の空気清浄モジュールの上側に備えられ、循環ファンを有する流動調節装置と；室内空間の汚染度を感知するセンサ装置と；前記複数の空気清浄モジュール又は流動調節装置の運転のために、運転モードに関する命令が入力される入力部と；前記入力部で入力された運転モード又は前記センサ装置で感知された汚染度に基づいて、前記ファン又は前記循環ファンを選択的に駆動し、吐出風量を決定する制御部とが含まれる。
【００２０】
本発明の他の実施例に係る空気清浄機の制御方法には、第１送風ファン、第１吸込部及び第１吐出部を有する下部空気清浄モジュールと、第２吸込部及び第２送風ファンを有する上部空気清浄モジュールと、前記上部空気清浄モジュールを通過した空気を排出する第２吐出部及び循環ファンを有する流動調節装置とが備えられる空気清浄機の制御方法において、入力部を介して運転モードが選択されるステップと；前記運転モードのうち自動運転モードが選択されると、室内空間の汚染度が感知されるステップと；前記汚染度に基づいて、前記下部空気清浄モジュールの単独運転、前記下部空気清浄モジュール及び前記上部空気清浄モジュールの組み合わせ運転、または前記下部空気清浄モジュール、前記上部空気清浄モジュール及び前記流動調節装置の組み合わせ運転が行われるステップとが含まれる。
【００２１】
本発明の更に他の実施例に係る空気清浄機には、ファン及びフィルター部材をそれぞれ備え、上下方向に配列される複数の空気清浄モジュールと；前記複数の空気清浄モジュールの上側に備えられ、循環ファンを有する流動調節装置と；前記複数の空気清浄モジュール又は流動調節装置の運転のために、運転モードに関する命令が入力される入力部と；前記入力部で入力された運転モードに基づいて、前記複数の空気清浄モジュールにそれぞれ備えられるファン又は前記循環ファンから吐出される風量を調節する制御装置とが含まれる。
【発明の効果】
【００２２】
本実施例によれば、空気清浄モジュール及び前記空気清浄モジュールを通過した浄化空気を遠い距離まで吐出できる流動調節装置を含む多数のモジュールが備えられ、清浄空間の大きさ又は所望の空気清浄量に応じて、前記多数のモジュールを選択的に駆動できるので、空気清浄効率が改善され、使用者の満足度が増加するという効果が奏される。
【００２３】
また、空気清浄機の作動を制御できる多数の運転モードが設定され、使用者の好みによって前記多数の運転モードのいずれか１つの運転モードを決定できるので、使用者の利便性を増大させることができる。
【００２４】
特に、前記多数の運転モードには、使用者が運転条件、すなわち、駆動されるモジュールの数、そして、風量を選択できる手動運転モードが含まれ、使用者は、手動運転モードを選択して空気清浄量又は空気清浄速度を所望の値に直接制御できるという利点がある。
【００２５】
そして、前記多数の運転モードには、空気汚染度に基づいて前記運転条件が決定される自動運転モードが含まれ、前記空気汚染度のレベルに応じて、駆動されるモジュールの種類又は数、そして、風量を自動で調節できるので、清浄空間の特性に合わせて効率的に空気清浄運転を行うことができるという利点がある。
【００２６】
そして、空気清浄機には塵埃センサ又はガスセンサが含まれることで、前記空気汚染度に関するレベルを容易に決定できるという効果が奏される。
【００２７】
特に、空気清浄度が良くない場合、すなわち、空気汚染度レベルが高いほど、駆動されるモジュールの数が増加し、吐出風量が増大することによって、清浄空間の浄化作用を迅速に行うことができる。そして、空気清浄度のレベルが設定レベル以上になる場合、前記多数のモジュールのうち流動調節装置を駆動して、前記空気清浄機から遠い距離まで浄化された空気を供給できるので、空気清浄効率を改善することができる。
【００２８】
そして、清浄空間に存在する塵埃などは空気より重く、清浄空間の下部に積もるため、多数のモジュールのうち下部モジュールを優先的に駆動し、汚染度レベルが増加するにつれて、上部モジュール及び流動調節装置を順次駆動することによって、空気清浄性能を改善することができるという効果が奏される。
【００２９】
また、前記多数の運転モードには、清浄空間の下部領域を集中的に浄化できる下部モジュール集中運転モードが含まれるので、使用者は、前記下部モジュール集中運転モードを選択して、相対的に汚染度が高い清浄空間の下部領域を、相対的に低い電力を消費しながら先に清浄することができるという利点がある。特に、呼吸器の機能が弱い幼児又は乳児が清浄空間の下部領域に位置する場合、前記下部モジュール集中運転モードの効果はさらに顕著になり得る。
【００３０】
また、上部モジュールを通じて空気の上方吐出がガイドされ、前記上部モジュールの上側に備えられる流動調節装置によって空気の前方吐出がガイドされ得る。そして、前記流動調節装置が回転する過程で、空気の左右方向への吐出がガイドされ得る。その結果、空気清浄機を基準として様々な方向に空気の吐出がガイドされ、空気清浄機から遠い距離まで吐出気流を形成できるので、室内空間の空気清浄機能を改善することができる。そして、室内にいる者が座っていたり、立っていても、その周辺空間に向かって吐出気流を容易に発生させることができるという利点がある。
【００３１】
また、前記流動調節装置には第３ファンが備えられるので、第２送風装置を介して流動する空気に前記第３ファンによる流動力を加えて空気を吐出させることができる。したがって、強い吐出気流が発生できるので、空気清浄機から遠く離れた位置まで気流が到達し得るという効果が奏される。
【００３２】
また、前記流動調節装置の上部にディスプレイ装置が備えられることで、空気清浄機の運転情報を外部から容易に認識できるという効果が奏される。特に、流動調節装置が軸方向を基準として傾斜して立てられた状態（第２位置）にある場合は勿論、横になっている状態（第１位置）にあっても、ディスプレイ装置が外部に良好に露出されて空気清浄機の運転情報を容易に確認できるという利点がある。
【００３３】
また、多数のモジュールが提供されるので、空気清浄機の送風容量を改善することができるという利点がある。そして、多数の空気清浄モジュールを通じて互いに独立した空気流動が発生して、空気流動の相互間に互いに邪魔になる現象を防止することができ、これによって、空気流動性が改善される効果が奏される。
【図面の簡単な説明】
【００３４】
【図１】本発明の実施例に係る空気清浄機の外観を示す斜視図である。
【００３５】
【図２】本発明の実施例に係る空気清浄機の内部構成を示す斜視図である。
【００３６】
【図３】図２のＩＩＩ−ＩＩＩ’に沿って切断した断面図である。
【００３７】
【図４】本発明の実施例に係る上部モジュールの構成を示す分解斜視図である。
【００３８】
【図５】本発明の実施例に係る第３エアガイド装置及び第２吐出ガイド装置の構成を示す分解斜視図である。
【００３９】
【図６】本発明の実施例に係る流動調節装置及び該流動調節装置が結合される部品の構成を示す分解斜視図である。
【００４０】
【図７】本発明の実施例に係る流動調節装置の構成を示す斜視図である。
【００４１】
【図８】本発明の実施例に係る流動調節装置の左右方向の回転のために第１ガイド機構が作用する様子を示す図である。
【００４２】
【図９】本発明の実施例に係る流動調節装置の構成を示す分解斜視図である。
【００４３】
【図１０】本発明の実施例に係る流動調節装置の上下方向の回転のために第２ガイド機構が作用する様子を示す図である。
【００４４】
【図１１】本発明の実施例に係る流動調節装置が第２位置にある様子を示す図である。
【００４５】
【図１２】本発明の実施例に係る流動調節装置が第１位置にあるとき、空気清浄機を介した空気流動を示す図である。
【００４６】
【図１３】本発明の実施例に係る流動調節装置が第２位置にあるとき、空気清浄機を介した空気流動を示す図である。
【００４７】
【図１４】本発明の実施例に係る空気清浄機の制御的な構成を示すブロック図である。
【００４８】
【図１５】本発明の実施例に係る空気清浄機の制御方法を示すフローチャートである。
【００４９】
【図１６】本発明の実施例に係る空気清浄機の下部モジュールのみが駆動するとき、空気流動の様子を示す図である。
【図１７】本発明の実施例に係る空気清浄機の下部モジュールのみが駆動するとき、空気流動の様子を示す図である。
【００５０】
【図１８】本発明の実施例に係る空気清浄機の上部モジュール及び下部モジュールが駆動するとき、空気流動の様子を示す図である。
【図１９】本発明の実施例に係る空気清浄機の上部モジュール及び下部モジュールが駆動するとき、空気流動の様子を示す図である。
【００５１】
【図２０】本発明の実施例に係る空気清浄モジュール及び流動調節装置が駆動するとき、空気流動の様子を示す図である。
【図２１】本発明の実施例に係る空気清浄モジュール及び流動調節装置が駆動するとき、空気流動の様子を示す図である。
【発明を実施するための形態】
【００５２】
以下、本発明の一部の実施例を例示的な図面を参照して詳細に説明する。各図面の構成要素に参照符号を付加するにおいて、同一の構成要素に対しては、たとえ他の図面上に表示されても、可能な限り同一の符号を有するようにしていることに留意しなければならない。また、本発明の実施例を説明するにあたって、かかる公知の構成又は機能についての具体的な説明が本発明の実施例に対する理解を妨げると判断される場合には、その詳細な説明は省略する。
【００５３】
また、本発明の実施例の構成要素を説明するにあたって、第１、第２、Ａ、Ｂ、（ａ）、（ｂ）などの用語を使用することができる。このような用語は、その構成要素を他の構成要素と区別するためのものに過ぎず、その用語によって当該構成要素の本質や順番又は順序などが限定されるものではない。ある構成要素が他の構成要素に「連結」、「結合」又は「接続」されると記載された場合、その構成要素は、その他の構成要素に直接的に連結又は接続されてもよいが、各構成要素の間にまた他の構成要素が「連結」、「結合」又は「接続」されてもよいと理解されるべきである。
【００５４】
図１は、本発明の実施例に係る空気清浄機の外観を示す斜視図である。
【００５５】
図１を参照すると、本発明の実施例に係る空気清浄機１０には、空気流動を発生させる送風装置１００，２００、及び前記送風装置１００，２００から発生した空気流動の吐出方向を切り替える流動調節装置３００が含まれる。
【００５６】
前記送風装置１００，２００には、第１空気流動を発生させる第１送風装置１００、及び第２空気流動を発生させる第２送風装置２００が含まれる。
【００５７】
前記第１送風装置１００と第２送風装置２００は上下方向に配列することができる。一例として、前記第２送風装置２００は、前記第１送風装置１００の上側に配置されてもよい。この場合、前記第１空気流動は、前記空気清浄機１０の下部側に存在する室内空気を吸い込む流動を形成し、前記第２空気流動は、前記空気清浄機１０の上部側に存在する室内空気を吸い込む流動を形成する。
【００５８】
前記空気清浄機１０には、外観を形成するケース１０１，２０１が含まれる。
【００５９】
詳しくは、前記ケース１０１，２０１には、前記第１送風装置１００の外観を形成する第１ケース１０１が含まれる。前記第１ケース１０１は円筒状を有することができる。そして、前記第１ケース１０１の上部は下部よりも小さい直径を有するように構成することができる。すなわち、前記第１ケース１０１は、先端部が切り取られた円錐形の形状を有することができる。
【００６０】
前記第１及び第２送風装置１００，２００は、清浄空間の空気を浄化させる機能を行う点から、それぞれ、「第１空気清浄モジュール１００」及び「第２空気清浄モジュール２００」と命名することができる。そして、前記第１送風装置１００は、前記空気清浄機１０の下部に配置される点から、「下部空気清浄モジュール」又は「下部モジュール」と命名することができ、前記第２送風装置２００は、前記空気清浄機１０の上部に配置される点から、「上部空気清浄モジュール」又は「上部モジュール」と命名することができる。
【００６１】
前記第１ケース１０１には、前記第１ケース１０１を構成する２つのパートが結合又は分離される第１分離部１０１ａが含まれる。前記第１分離部１０１ａには、係止突起又は磁石部材のような係止装置が備えられてもよい。前記２つのパートは、前記係止装置によって、前記第１分離部１０１ａに分離可能に結合され得る。
【００６２】
前記第１ケース１０１には、空気が吸い込まれる第１吸込部１０２が形成される。前記第１吸込部１０２は、前記第１ケース１０１の少なくとも一部分が貫通して形成される貫通孔を含む。前記第１吸込部１０２は多数個形成される。
【００６３】
前記多数の第１吸込部１０２は、前記第１ケース１０１を基準にしてどの方向からも空気の吸い込みが可能なように、前記第１ケース１０１の外周面に沿って円周方向に均一に形成される。すなわち、前記第１ケース１０１の内部中心を通る上下方向の中心線を基準として、３６０°方向から空気を吸い込むことができる。
【００６４】
このように、前記第１ケース１０１が円筒状に構成され、前記第１吸込部１０２が前記第１ケース１０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００６５】
前記第１吸込部１０２を介して吸い込まれる空気は、前記第１ケース１０１の外周面から略半径方向に流動することができる。方向を定義する。図１を基準として、上下方向を軸方向といい、横方向を半径方向という。前記軸方向は、後述する第１ファン１６０及び第２ファン２６０の中心軸方向、すなわち、ファンのモータ軸方向に対応することができる。そして、前記半径方向は、前記軸方向の垂直な方向として理解することができる。
【００６６】
そして、円周方向とは、前記軸方向を中心とし、前記半径方向の距離を回転半径として回転するときに形成される仮想の円方向として理解される。
【００６７】
前記第１送風装置１００には、前記第１ケース１０１の下側に提供され、地面に置かれるベース２０がさらに含まれる。前記ベース２０は、前記第１ケース１０１の下端部から下方に離隔して位置する。そして、前記第１ケース１０１と前記ベース２０との間の離隔空間には、ベース吸込部１０３が形成される。
【００６８】
前記ベース吸込部１０３を介して吸い込まれる空気は、前記ベース２０の上側に備えられる吸込グリル１１０（図２参照）の吸込口１１２を介して上方に流動することができる。
【００６９】
すなわち、前記第１送風装置１００には複数の吸込部１０２，１０３が含まれる。室内空間の下部に存在する空気は、前記複数の吸込部１０２，１０３を介して前記第１送風装置１００に容易に流入することができる。したがって、空気の吸込量が増加することができる。
【００７０】
前記第１送風装置１００の上部には第１吐出部１０５が形成される。前記第１吐出部１０５は、前記第１送風装置１００に備えられる第１吐出ガイド装置１９０（図２参照）の第１吐出グリル１９５に形成され得る。前記第１吐出ガイド装置１９０は、前記第１送風装置１００の上端部の外観を形成する。前記第１吐出部１０５を介して排出される空気は、軸方向の上方に流動することができる。
【００７１】
前記ケース１０１，２０１には、前記第２送風装置２００の外観を形成する第２ケース２０１が含まれる。前記第２ケース２０１は円筒状を有することができる。そして、前記第２ケース２０１の上部は下部よりも小さい直径を有するように構成することができる。すなわち、前記第２ケース２０１は、先端部が切り取られた円錐形の形状を有することができる。
【００７２】
前記第２ケース２０１には、係止装置が備えられる第２分離部２０１ａを介して分離又は結合できる２つのパートが含まれる。前記第２ケース２０１は、前記第１ケース１０１と同様に開放可能に構成することができる。詳細な説明は、前記第１ケース１０１に関する説明を援用する。
【００７３】
前記第２ケース２０１の下端部の直径は、前記第１ケース１０１の上端部の直径よりも小さく形成することができる。したがって、前記ケース１０１，２０１の全体的な形状の観点で、ケース１０１，２０１の下部断面積は上部断面積よりも大きく形成され、これによって、前記空気清浄機１０は地面に安定的に支持され得る。
【００７４】
前記第２ケース２０１には、空気が吸い込まれる第２吸込部２０２が形成される。前記第２吸込部２０２は、前記第２ケース２０１の少なくとも一部分が貫通して形成される貫通孔を含む。前記第２吸込部２０２は多数個形成される。
【００７５】
前記多数の第２吸込部２０２は、前記第２ケース２０１を基準にしてどの方向からも空気の吸い込みが可能なように、前記第２ケース２０１の外周面に沿って円周方向に均一に形成される。すなわち、前記第２ケース２０１の内部中心を通る上下方向の中心線を基準として、３６０°方向から空気を吸い込むことができる。
【００７６】
このように、前記第２ケース２０１が円筒状に構成され、前記第２吸込部２０２が前記第２ケース２０１の外周面に沿って多数個形成されることによって、空気の吸込量が増加し得る。そして、従来の空気清浄機のケースのように、角部を有する六面体形状を回避することによって、吸い込まれる空気に対する流動抵抗を減少させることができるという効果が奏される。
【００７７】
前記第２吸込部２０２を介して吸い込まれる空気は、前記第２ケース２０１の外周面から略半径方向に流動することができる。
【００７８】
前記空気清浄機１０には、前記第１送風装置１００と前記第２送風装置２００との間に備えられる仕切り装置４００が含まれる。前記仕切り装置４００によって、前記第２送風装置２００は、前記第１送風装置１００の上側に離隔して位置することができる。
【００７９】
前記流動調節装置３００は、前記第２送風装置２００の上側に設置することができる。空気流動を基準として、前記第２送風装置２００の空気流路は、前記流動調節装置３００の空気流路に連通することができる。前記第２送風装置２００を通過した空気は、前記流動調節装置３００の空気流路を経由し、第２吐出部３０５を介して外部に排出され得る。前記第２吐出部３０５は、前記流動調節装置３００の上端部に形成される。
【００８０】
前記流動調節装置３００は動き可能に備えることができる。詳細には、前記流動調節装置３００は、図１に示されるように、横になっている状態（第１位置）にあるか、または図１３に示されるように、傾斜して立てられた状態（第２位置）にあってもよい。
【００８１】
そして、前記流動調節装置３００の上部には、空気清浄機１０の運転情報を表示するディスプレイ装置６００が備えられる。前記ディスプレイ装置６００は、前記流動調節装置３００と共に動くことができる。
【００８２】
図２は、本発明の実施例に係る空気清浄機の内部構成を示す斜視図であり、図３は、図２のＩＩＩ−ＩＩＩ’に沿って切断した断面図である。
【００８３】
図２及び図３を参照すると、本発明の実施例に係る第１送風装置１００には、ベース２０、及び前記ベース２０の上側に配置される吸込グリル１１０が含まれる。
【００８４】
前記ベース２０には、地面に置かれるベース本体２１、及び前記ベース本体２１から上方に突出して前記吸込グリル１１０が載置されるベース突出部２２が含まれる。前記ベース突出部２２は前記ベース２０の両側に備えることができる。
【００８５】
前記ベース突出部２２によって、前記ベース本体２１と前記吸込グリル１１０は互いに離隔する。前記ベース２０と前記吸込グリル１１０との間には、空気の吸込空間を形成するベース吸込部１０３が形成される。
【００８６】
前記吸込グリル１１０には、略リング状のグリル本体１１１、及び前記グリル本体１１１の外周面から上方に突出する枠部が含まれる。前記グリル本体１１１及び枠部の構成によって、前記吸込グリル１１０は段差を有する構成を有することができる。
【００８７】
前記吸込グリル１１０には、前記枠部に形成される吸込部１１２が含まれる。前記吸込部１１２は、前記枠部の周縁に沿って上方に突出するように構成し、円周方向に延びるように構成することができる。そして、前記吸込部１１２の内部には多数個の吸込孔１１２ａが形成される。前記多数個の吸込孔１１２ａは前記ベース吸込部１０３に連通することができる。
【００８８】
前記多数個の吸込孔１１２ａ及び前記ベース吸込部１０３を介して吸い込まれた空気は、第１フィルター部材１２０を通過することができる。前記第１フィルター部材１２０は、円筒状に備えられ、空気をろ過するフィルター面を有することができる。前記多数個の吸込孔１１２ａを通過した空気は、円筒状の第１フィルター部材１２０の外周面を貫通してその内部に流入することができる。
【００８９】
前記第１送風装置１００には、前記第１フィルター部材１２０の装着空間を形成する第１フィルターフレーム１３０がさらに含まれる。詳細には、前記第１フィルターフレーム１３０には、前記第１フィルターフレーム１３０の下部を形成する第１フレーム１３１、及び前記第１フィルターフレーム１３０の上部を形成する第２フレーム１３２が含まれる。
【００９０】
前記第１フィルターフレーム１３０には、前記第１フレーム１３１から前記第２フレーム１３２に向かって上方に延びる第１フィルター支持部１３５がさらに含まれる。前記第１フィルター支持部１３５によって、前記第１及び第２フレーム１３１，１３２は互いに離隔し得る。前記第１フィルター支持部１３５は多数個提供され、前記多数個の第１フィルター支持部１３５は、円周方向に配列されて前記第１及び第２フレーム１３１，１３２の周縁部に連結され得る。
【００９１】
前記第１及び第２フレーム１３１，１３２及び前記多数の第１フィルター支持部１３５によって、前記第１フィルター部材１２０の装着空間が規定される。
【００９２】
前記装着空間には、前記第１フィルター部材１２０を分離可能に装着することができる。前記第１フィルター部材１２０は円筒状の形状を有し、前記第１フィルター部材１２０の外周面を介して空気が流入することができる。前記第１フィルター部材１２０を通過する過程で、空気中の微細塵埃のような不純物がろ過され得る。
【００９３】
前記第１フィルター部材１２０が円筒状の形状を有することによって、前記第１フィルター部材１２０を基準として、どの方向からも空気の流入が可能である。したがって、空気のフィルタリング面積が増加し得る。
【００９４】
前記第１送風装置１００には、前記第１フィルター部材１２０の出口側に設置される第１ファンハウジング１５０がさらに含まれる。前記第１ファンハウジング１５０には、第１ファン１６０が収容されるハウジング空間部１５２が形成される。そして、前記第１ファンハウジング１５０は前記第１フィルターフレーム１３０によって支持され得る。
【００９５】
前記第１送風装置１００には、空気中の臭い粒子を除去又は殺菌するためのイオナイザがさらに含まれる。前記イオナイザは、前記第１ファンハウジング１５０に結合され、前記第１ファンハウジング１５０の内部を流動する空気に作用することができる。
【００９６】
前記センサ装置１３７及び前記イオナイザは、後述する第２送風装置２００にも設置することができる。他の例として、前記センサ装置１３７及び前記イオナイザは、前記第１送風装置１００及び第２送風装置２００のうちの１つの送風装置に設置されてもよい。
【００９７】
前記第１ファン１６０には、軸方向に空気を流入して半径方向上側に空気を排出させる遠心ファンが含まれる。
【００９８】
詳細には、前記第１ファン１６０には、遠心ファンモータである第１ファンモータ１６５の回転軸１６５ａが結合されるハブ１６１、前記ハブ１６１と離隔して配置されるシュラウド１６２、及び前記ハブ１６１と前記シュラウド１６２との間に配置される多数のブレード１６３が含まれる。前記第１ファンモータ１６５は前記第１ファン１６０の上側に結合され得る。
【００９９】
前記第１送風装置１００には、前記第１ファン１６０の上側に結合されて前記第１ファン１６０を通過した空気の流動をガイドする第１エアガイド装置１７０がさらに含まれる。
【０１００】
前記第１エアガイド装置１７０には、円筒状の形状を有する外壁１７１、及び前記外壁１７１の内側に位置し、円筒状の形状を有する内壁１７２が含まれる。前記外壁１７１は、前記内壁１７２を取り囲むように配置される。前記外壁１７１の内周面と、前記内壁１７２の外周面との間には、空気が流動する第１空気流路が形成される。
【０１０１】
前記第１エアガイド装置１７０には、前記第１空気流路に配置されるガイドリブ１７５が含まれる。前記ガイドリブ１７５は、前記内壁１７２の外周面から前記外壁１７１の内周面に延びる。前記ガイドリブ１７５は、多数個が離隔して配置されてもよい。前記多数のガイドリブ１７５は、前記第１ファン１６０を経て前記第１エアガイド装置１７０の第１空気流路に流入した空気を上方に案内する機能を行う。
【０１０２】
前記第１エアガイド装置１７０には、前記内壁１７２から下方に延びて前記第１ファンモータ１６５を収容するモータ収容部１７３がさらに含まれる。前記モータ収容部１７３は前記ハブ１６１の内側に挿入され得る。
【０１０３】
前記第１ファンモータ１６５は、前記モータ収容部１７３の上側に支持され得る。そして、前記第１ファンモータ１６５の回転軸は、前記第１ファンモータ１６５から下方に延び、前記モータ収容部１７３の底面部を貫通して前記ハブ１６１の軸結合部に結合され得る。
【０１０４】
前記第１送風装置１００には、前記第１エアガイド装置１７０の上側に結合され、前記第１エアガイド装置１７０を通過した空気を第１吐出ガイド装置１９０にガイドする第２エアガイド装置１８０がさらに含まれる。
【０１０５】
前記第２エアガイド装置１８０には、略円筒状の形状を有する第１ガイド壁１８１、及び前記第１ガイド壁１８１の内側に位置し、略円筒状の形状を有する第２ガイド壁１８２が含まれる。前記第１ガイド壁１８１は、前記第２ガイド壁１８２を取り囲むように配置することができる。
【０１０６】
前記第１ガイド壁１８１の内周面と前記第２ガイド壁１８２の外周面との間には、空気が流動する第２空気流路が形成される。前記第１エアガイド装置１７０の第１空気流路を流動する空気は、前記第２空気流路を経て通過して上方に流動する。前記第２空気流路を「吐出流路」と呼ぶことができる。そして、前記第２空気流路の上側には第１吐出部１０５が配置される。
【０１０７】
円筒状の形状を有する第２ガイド壁１８２の内側には、ＰＣＢ装置５００の少なくとも一部分を収容するために上下方向に貫通する第１空間部が形成される。前記ＰＣＢ装置には、電源供給部及びメインＰＣＢが含まれる。
【０１０８】
前記第１送風装置１００には、前記第２エアガイド装置１８０の上側、すなわち、空気流路を基準として、前記第２エアガイド装置１８０を通過する空気流動の出口側に配置され、空気清浄機１０の外部への空気の吐出をガイドする第１吐出ガイド装置１９０がさらに含まれる。前記第１吐出ガイド装置１９０には、空気が排出される第１吐出部１０５が形成される。
【０１０９】
前記第１送風装置１００と前記第２送風装置２００との間には仕切り装置４００が備えられる。前記仕切り装置４００には、前記第１送風装置１００から発生する空気流動と、前記第２送風装置２００から発生する空気流動とを分離又は遮断するための仕切り板４３０が含まれる。前記仕切り板４３０によって、前記第１及び第２送風装置１００，２００は上下方向に離隔して配置され得る。
【０１１０】
すなわち、前記第１及び第２送風装置１００，２００の間には、前記仕切り板４３０が位置する離隔空間が形成される。前記離隔空間の下端部には、前記第１送風装置１００の第１吐出ガイド装置１９０が位置し、前記離隔空間の上端部には、前記第２送風装置２００のレバー支持装置５６０が位置することができる。
【０１１１】
前記離隔空間は、前記仕切り板４３０によって、上部空間と下部空間とに仕切ることができる。前記下部空間は、前記第１吐出ガイド装置１９０の第１吐出部１０５から排出される空気が空気清浄機１０の外部に流動する過程で経由する空間であり、前記上部空間は、使用者が空気清浄機１０を移動させるときに手を入れることができる把持空間として理解される。
【０１１２】
前記第１吐出部１０５から排出される空気は、前記仕切り板４３０によってガイドされて前記空気清浄機１０の外部に流動し、前記第２送風装置２００側に流入することを防止することができる。
【０１１３】
図４は、本発明の実施例に係る上部モジュールの構成を示す分解斜視図である。
【０１１４】
図４を参照すると、本発明の実施例に係る第２送風装置２００には、レバー支持装置５６０、レバー装置２４２、支持装置２４０、第２フィルター部材２２０、第２フィルターフレーム２３０、第２ファンハウジング２５０、及び第２ファン２６０が含まれる。
【０１１５】
前記第２フィルター部材２２０は、上部が開口した円筒形状を有することができる。空気は、前記第２フィルター部材２２０の外周面を介して前記第２フィルター部材２２０の内側に流入し、前記第２フィルター部材２２０の開口した上部を介して排出され得る。前記第２フィルター部材２２０の構成は、前記第１フィルター部材１２０にも援用することができる。
【０１１６】
前記レバー支持装置５６０は前記レバー装置２４２を支持する。詳細には、前記レバー支持装置５６０には、環状の形状を有するレバー支持本体５６１が含まれる。前記レバー支持本体５６１は、前記第１送風装置１００の第１吐出部１０５を介して排出された空気が前記第２送風装置２００に流入することを遮断する点から、「遮断部」と呼ぶこともできる。
【０１１７】
前記レバー支持装置５６０には、前記レバー支持本体５６１から上方に突出する移動ガイド部５６５がさらに含まれる。前記移動ガイド部５６５は、前記レバー支持本体５６１の円周方向に多数個が離隔して配置され得る。
【０１１８】
前記レバー装置２４２は、使用者の操作が可能なように備えることができる。一例として、前記レバー装置２４２は、円周方向に回転可能なように備えることができる。詳細には、前記レバー装置２４２には、略リング状を有し、かつ、回転可能に備えられるレバー本体２４３が含まれる。そして、前記レバー本体２４３には、前記多数の移動ガイド部５６５に対応する位置に配置される多数の切開部２４５が形成される。
【０１１９】
前記レバー装置２４２は、前記レバー支持本体５６１の上面に支持される。前記レバー装置２４２が前記レバー支持本体５６１に支持されると、前記多数個の移動ガイド部５６５は前記多数個の切開部２４５に挿入されるように配置され得る。詳細には、前記多数個の移動ガイド部５６５は、前記多数個の切開部２４５を貫通して、前記多数個の切開部２４５の上側に突出することができる。
【０１２０】
前記レバー装置２４２の上側には、前記第２フィルター部材２２０を支持する支持装置２４０が提供される。詳細には、前記レバー装置２４２は、前記支持装置２４０の下面を支持する。前記支持装置２４０には、前記移動ガイド部５６５と接触する支持突出部（図示せず）を備えることができる。前記支持突出部は、前記支持装置２４０の下面から下方に突出し、前記移動ガイド部５６５に対応する位置に備えることができる。そして、前記支持突出部の形状は、前記移動ガイド部５６５の形状に対応し、円周方向に次第に突出するように形成される傾斜面が含まれる。そして、前記移動ガイド部５６５が次第に突出するように形成される方向と、前記支持突出部が次第に突出するように形成される方向とは互いに反対であり得る。
【０１２１】
前記レバー装置２４２と前記支持装置２４０は共に回転することができる。この回転過程において、前記移動ガイド部５６５と前記支持突出部とは干渉し得る。詳細には、前記支持突出部の下部と前記移動ガイド部５６５の上部とが当接すると、前記レバー装置２４２と前記支持装置２４０は上方に持ち上げられる。そして、前記支持装置２４０によって支持される第１フィルター部材２２０は、上方へ移動しながら前記第１送風装置２００に結合された状態となる。
【０１２２】
その一方、前記支持突出部の上部と前記移動ガイド部５６５の下部とが当接するか、または前記支持突出部と移動ガイド部５６５との干渉が解除されると、前記レバー装置２４２と前記支持装置２４０は下方に下降する。そして、前記支持装置２４０によって支持される第１フィルター部材２２０は、前記第１送風装置１００から分離可能な状態（解除状態）となる。
【０１２３】
前記第２送風装置２００には、前記第２フィルター部材２２０の装着空間を形成する第２フィルターフレーム２３０がさらに含まれる。詳細には、前記第２フィルターフレーム２３０には、前記第２フィルターフレーム２３０の下部を形成する第１フレーム２３１と、前記第２フィルターフレーム２３０の上部を形成する第２フレーム２３２と、前記第１フレーム２３１から前記第２フレーム２３２に向かって上方に延びる第２フィルター支持部２３５とが含まれる。前記第１及び第２フレーム２３１，２３２と第２フィルター支持部２３５に関する説明は、第１フィルターフレーム１３０の第１及び第２フレーム１３１，１３２と第１フィルター支持部１３５に関する説明を援用する。
【０１２４】
前記第１及び第２フレーム２３１，２３２及び前記多数の第２フィルター支持部２３５によって、前記第２フィルター部材２２０の装着空間が規定される。そして、前記第２フィルター支持部２３５の外側には第２支持部カバー２３６を結合することができる。
【０１２５】
前記第２フィルターフレーム２３０にはセンサ装置２３７を設置することができる。前記センサ装置２３７には、空気中の塵埃の量を感知する塵埃センサ２３７ａ、及び空気中のガスの量を感知するガスセンサ２３７ｂが含まれ得る。前記塵埃センサ２３７ａ及びガスセンサ２３７ｂは、前記第２フィルターフレーム２３０の第２フレーム２３２に支持されるように配置することができる。そして、前記センサ装置２３７には、前記塵埃センサ２３７ａ及びガスセンサ２３７ｂを覆うセンサカバー２３７ｃがさらに含まれる。
【０１２６】
本実施例では、前記センサ装置２３７が前記第２送風装置２００に設置されるものとして説明されたが、これとは異なり、前記センサ装置２３７は前記第１送風装置１００に設置されていてもよい。すなわち、前記センサ装置２３７は、前記第１送風装置１００又は前記第２送風装置２００に設置することができる。
【０１２７】
前記装着空間には、前記第２フィルター部材２２０を分離可能に装着することができる。前記第２フィルター部材２２０は円筒状の形状を有し、前記第２フィルター部材２２０の外周面を介して空気が流入することができる。前記第２フィルター部材２２０を通過する過程で、空気中の微細塵埃のような不純物がろ過され得る。
【０１２８】
前記第２送風装置２００には、前記第２フィルター部材２２０の出口側に設置される第２ファンハウジング２５０がさらに含まれる。前記第２ファンハウジング２５０には、第２ファン２６０が収容されるハウジング空間部２５２が形成される。前記第２ファンハウジング２５０及び前記第２ファン２６０の構成は前記第１ファンハウジング１５０及び第１ファン１６０の構成と同一であるので、前記第２ファンハウジング２５０及び前記第２ファン２６０に関する説明は前記第１ファンハウジング１５０及び第１ファン１６０に関する説明を援用する。
【０１２９】
前記第２送風装置２００には、空気中の臭い粒子を除去又は殺菌するためのイオナイザ２５８がさらに含まれる。前記イオナイザ２５８は、前記第２ファンハウジング２５０に結合され、前記第２ファンハウジング２５０の内部を流動する空気に作用することができる。前記イオナイザ２５８は、前記第１送風装置１００のイオナイザと同一の構成を有することができる。
【０１３０】
図５は、本発明の実施例に係る第３エアガイド装置及び第２吐出ガイド装置の構成を示す分解斜視図であり、図６は、本発明の実施例に係る流動調節装置及び前記流動調節装置が結合される部品の構成を示す分解斜視図であり、図７は、本発明の実施例に係る流動調節装置の構成を示す斜視図であり、図８は、本発明の実施例に係る流動調節装置の左右方向の回転のために第１ガイド機構が作用する様子を示す図である。
【０１３１】
図５乃至図８を参照すると、本発明の実施例に係る第２送風装置２００には、前記第２ファン２６０の上側に結合されて、前記第２ファン２６０を通過した空気の流動をガイドする第３エアガイド装置２７０がさらに含まれる。
【０１３２】
前記第３エアガイド装置２７０には、前記第３エアガイド装置２７０の外周面を形成する外壁２７１、及び前記外壁２７１の内側に位置し、前記第３エアガイド装置２７０の内周面を形成する内壁２７２が含まれる。前記外壁２７１の内周面と前記内壁２７２の外周面との間には、空気が流動する第１空気流路２７２ａが形成される。
【０１３３】
そして、前記第３エアガイド装置２７０には、前記第１空気流路２７２ａに配置されるガイドリブ２７５が含まれる。前記ガイドリブ２７５は、前記内壁２７２の外周面から前記外壁２７１の内周面に延びる。
【０１３４】
前記第３エアガイド装置２７０には、前記内壁２７２から下方に延びて第２ファンモータ２６５を収容するモータ収容部２７３がさらに含まれる。前記モータ収容部２７３は、下部に行くほど直径が小さくなるボウル（ｂｏｗｌ）形状を有することができる。
【０１３５】
前記第２ファンモータ２６５は、前記第２ファン２６０の上側に結合されて前記第２ファン２６０に駆動力を提供する。そして、前記第２ファンモータ２６５の一側にはモータ結合部２６６が備えられ、前記モータ結合部２６６は、前記第２ファンモータ２６５を前記第３エアガイド装置２７０に固定されるようにガイドする。
【０１３６】
前記第３エアガイド装置２７０には、前記流動調節装置３００の動きをガイドするためのガイド装置２７６，２７７が含まれる。
【０１３７】
前記ガイド装置２７６，２７７には、前記モータ収容部２７３に備えられる第１ラック２７６及び軸ガイド溝２７７が含まれる。
【０１３８】
前記第１ラック２７６は、前記流動調節装置３００の第１ギア３６０に連動する構成として理解される。前記第１ラック２７６は、前記モータ収容部２７３の内周面に備えられ、設定された曲率に応じて円周方向に延びることができる。そして、前記第１ラック２７６の長さは、前記第１ギア３６０に連動する距離に基づいて設定された長さに形成することができる。
【０１３９】
前記流動調節装置３００は左右方向、すなわち、時計方向又は反時計方向に回転することができる。この過程で、前記第１ギア３６０は、前記流動調節装置３００の回転軸３５４を中心に所定の回転半径を有して回転することができる。
【０１４０】
前記軸ガイド溝２７７は、前記第１ギア３６０の回転をガイドする溝であって、所定の曲率でラウンド状に延びる構成として理解される。一例として、前記軸ガイド溝２７７は、円周方向にラウンド状になるように形成することができる。すなわち、前記軸ガイド溝２７７は円弧の形状を有することができる。
【０１４１】
前記軸ガイド溝２７７には、前記第１ギア３６０の第１ギア軸３６２が挿入され得る。前記第１ギア３６０が回転する過程で、前記第１ギア軸３６２は前記軸ガイド溝２７７に沿って移動することができる。
【０１４２】
前記第２送風装置２００には、前記第３エアガイド装置２７０の上側に設けられ、前記第３エアガイド装置２７０を通過した空気の流動をガイドする第２吐出ガイド装置２８０が備えられる。
【０１４３】
前記第２吐出ガイド装置２８０は、内部が空いている略環状の形状を有することができる。詳細には、前記第２吐出ガイド装置２８０には、前記第２吐出ガイド装置２８０の外周面を形成し、円筒状の形状を有する吐出外壁２８１、及び前記吐出外壁２８１の内側に位置して前記第２吐出ガイド装置２８０の内周面を形成し、円筒状の形状を有する吐出内壁２８２が含まれる。
【０１４４】
前記吐出外壁２８１は、前記吐出内壁２８２を取り囲むように配置される。前記吐出外壁２８１の内周面と、前記吐出内壁２８２の外周面との間には、空気が流動する前記第３エアガイド装置２７０を通過した空気の流動が行われる第２空気流路２８２ａ、すなわち、吐出流路が形成される。前記吐出流路は、前記ガイドリブ２７５が備えられる第１空気流路２７２ａの上側に位置し得る。
【０１４５】
前記第２吐出ガイド装置２８０には、前記吐出流路２８２ａに配置される第２吐出グリル２８８がさらに含まれる。前記第２吐出グリル２８８は、前記吐出内壁２８２の外周面から前記吐出外壁２８１の内周面に延びる。
【０１４６】
前記第２吐出ガイド装置２８０には、前記吐出内壁２８２に結合される回転ガイド板２８３がさらに含まれる。前記回転ガイド板２８３は、前記吐出内壁２８２の内周面から前記第２吐出ガイド装置２８０の内部中心に向かって延びることができる。
【０１４７】
前記回転ガイド板２８３には、前記流動調節装置３００の左右方向の回転中心を提供する軸挿入部２８４が含まれる。前記軸挿入部２８４には前記回転軸３５４が挿入され得る。前記軸挿入部２８４は、前記第２吐出ガイド装置２８０の内部中心部に位置し得る。前記回転ガイド板２８３は、前記軸挿入部２８４を支持するための支持板として理解されてもよい。
【０１４８】
前記回転ガイド板２８３にはベアリング溝２８５がさらに含まれる。前記ベアリング溝２８５には、前記流動調節装置３００に備えられる第１ベアリング３５３が挿入され得る。前記ベアリング溝２８５は、前記第１ベアリング３５３の移動をガイドする溝であって、設定された曲率でラウンド状に延びる構成として理解される。一例として、前記ベアリング溝２８５は、円周方向にラウンド状になるように形成することができる。すなわち、前記ベアリング溝２８５は円弧の形状を有することができる。
【０１４９】
前記流動調節装置３００の左右方向の回転過程において、前記第１ベアリング３５３は、前記ベアリング溝２８５に挿入されて移動し得、これによって、前記流動調節装置３００の回転過程で発生する摩擦力を減少させることができる。
【０１５０】
前記流動調節装置３００には、第３ファン３３０が収容される第３ファンハウジング３１０が含まれる。前記第３ファンハウジング３１０は略環状の形状を有する。説明の便宜上、前記第１ファン１６０及び前記第２ファン２６０を「送風ファン」と命名し、前記第３ファン３３０を「循環ファン」と命名することができる。
【０１５１】
前記第３ファンハウジング３１０の上側には、前記第３ファン３３０を通過した空気が排出される第２吐出部３０５を形成する吐出グリル３１５が備えられる。前記空気清浄機１０には、前記第１送風装置１００の第１吐出部１０５と共に前記第２吐出部３０５が備えられるので、吐出風量が改善され、様々な方向に空気が吐出される効果が奏される。そして、前記吐出グリル３１５の中央部には前記ディスプレイ装置６００を備えることができる。
【０１５２】
前記第３ファン３３０には軸流ファンが含まれ得る。詳細には、前記第３ファン３３０は、軸方向に流入した空気を軸方向に排出させるように作動することができる。すなわち、前記第２ファン２６０、前記第３エアガイド装置２７０の第１空気流路２７２ａ、及び第２吐出ガイド装置２８０の吐出流路を経て前記第３ファン３３０に向かって上方に流動した空気は、前記第３ファン３３０から吐出されて、前記第３ファン３３０の上側に位置する第２吐出部３０５を介して外部に排出され得る。
【０１５３】
前記第３ファン３３０には、軸流ファンモータである第３ファンモータ３３５の回転軸が結合される軸結合部を有するハブ３３１、及び前記ハブ３３１に円周方向に結合される多数のブレード３３３が含まれる。前記第３ファンモータ３３５は、前記第３ファン３３０の下側に結合され得る。
【０１５４】
前記第１ファンモータ１６５及び第２ファンモータ２６５は、前記空気清浄機１０の縦方向を基準として一列に配置することができる。そして、前記第２ファンモータ２６５及び前記第３ファンモータ３３５は、前記空気清浄機１０の縦方向を基準として一列に配置することができる。まとめると、前記第１〜第３ファンモータ１６５，２６５，３３５又は第１〜第３ファン１６０，２６０，３３０の回転軸は、縦方向の同一軸線上に位置し得る。
【０１５５】
前記流動調節装置３００には、前記第３ファンハウジング３１０の下側に結合されて、前記第２吐出ガイド装置２８０を経た空気を前記第３ファンハウジング３１０にガイドする流動ガイド部３２０がさらに含まれる。
【０１５６】
前記流動ガイド部３２０には、前記第３ファンハウジング３１０への空気の流入をガイドする流入グリル３２５が含まれる。前記流入グリル３２５は、下方に凹んだ形状を有することができる。
【０１５７】
そして、前記第２吐出ガイド装置２８０の第２吐出グリル２８８の形状は、前記流入グリル３２５の形状に対応して下方に凹むように形成される。前記流入グリル３２５は、前記第２吐出グリル２８８の上側に装着され得る。このような構成によって、前記流入グリル３２５は、前記第２吐出グリル２８８に安定的に支持され得る。
【０１５８】
前記流動調節装置３００には、前記流動ガイド部３２０の下側に設置されて前記流動調節装置３００の左右方向への回転及び上下方向への回転をガイドする回転ガイド装置３５０がさらに含まれる。前記左右方向への回転を「第１方向回転」と呼び、前記上下方向への回転を「第２方向回転」と呼ぶことができる。
【０１５９】
前記回転ガイド装置３５０には、前記流動調節装置３００の第１方向回転をガイドするための第１ガイド機構、及び前記流動調節装置３００の第２方向回転をガイドするための第２ガイド機構が含まれる。
【０１６０】
前記第１ガイド機構には、駆動力を発生させる第１ギアモータ３６３、及び前記第１ギアモータ３６３に結合されて回転できる第１ギア３６０が含まれる。一例として、前記第１ギアモータ３６３には、回転角度の制御が容易なステップモータ（ｓｔｅｐ  ｍｏｔｏｒ）が含まれてもよい。
【０１６１】
前記第１ガイド機構には、前記第１ギア３６０から下方に、すなわち、前記第３エアガイド装置２７０又は前記第２吐出ガイド装置２８０に向かって延びる第１ギア軸３６２がさらに含まれる。
【０１６２】
前記第１ギア３６０は、前記第３エアガイド装置２７０の第１ラック２７６にギア結合される。前記第１ギア３６０及び前記第１ラック２７６には、多数のギア歯が形成される。そして、前記第１ギアモータ３６３が駆動されると、前記第１ギア３６０は回転して前記第１ラック２７６に連動する。このとき、前記第３エアガイド装置２７０は固定された構成であるため、前記第１ギア３６０は移動することができる。
【０１６３】
そして、前記第３エアガイド装置２７０の軸ガイド溝２７７は、前記第１ギア３６０の移動をガイドすることができる。詳細には、前記第１ギア軸３６２は、前記軸ガイド溝２７７に挿入され得る。そして、前記第１ギア軸３６２は、前記第１ギア３６０が回転する過程で前記軸ガイド溝２７７に沿って移動することができる。
【０１６４】
前記第１ガイド機構には、前記流動調節装置３００の回転中心を構成する回転軸３５４がさらに含まれる。前記第１ギア３６０及び前記第１ギア軸３６２は、回転軸３５４を中心に設定された回転半径を有して回転することができる。このとき、前記設定された回転半径を「第１回転半径」と呼ぶ。
【０１６５】
前記回転軸３５４は、前記回転ガイド装置３５０の底面に備えられて、前記第２吐出ガイド装置２８０の軸挿入部２８４に挿入され、前記軸挿入部２８４内で回転することができる。すなわち、前記第１ギア３６０が回転すると、前記第１ギア軸３６２及び第１ギア３６０は前記回転軸３５４を中心に円周方向に回転する。そして、前記回転軸３５４は、前記軸挿入部２８４内で自転するようになる。したがって、前記流動調節装置３００は、縦方向を軸方向として、第１方向、すなわち、時計方向又は反時計方向に回転することができる。
【０１６６】
前記第１ガイド機構には、前記流動調節装置３００の第１方向回転を容易にするためのベアリング３５３，３５５がさらに含まれる。前記ベアリング３５３，３５５は、前記流動調節装置３００の回転過程で発生する摩擦力を減少させることができる。
【０１６７】
前記ベアリング３５３，３５５には、前記回転ガイド装置３５０の底面に備えられる第１ベアリング３５３が含まれる。一例として、前記第１ベアリング３５３にはボールベアリング（ｂａｌｌ  ｂｅａｒｉｎｇ）が含まれてもよい。
【０１６８】
前記回転ガイド板２８３には、前記第１ベアリング３５３が挿入されるベアリング溝２８５が含まれる。前記流動調節装置３００が第１方向回転する過程で、前記第１ベアリング３５３は前記ベアリング溝２８５に挿入されて移動することができる。
【０１６９】
このとき、前記第１ベアリング３５３は、前記回転軸３５４を中心に設定された回転半径に回転することができる。このとき、前記設定された回転半径を「第２回転半径」という。前記第２回転半径は、前記第１回転半径よりも小さく形成することができる。
【０１７０】
前記ベアリング３５３，３５５には前記第２ベアリング３５５がさらに含まれる。前記第２ベアリング３５５は、前記回転ガイド装置３５０の枠部に回転可能に設置することができる。前記第２ベアリング３５５は、前記第２吐出ガイド装置２８０の吐出内壁２８２に接触可能に備えることができる。すなわち、前記吐出内壁２８２の内周面は、前記第２ベアリング３５５の接触面を形成することができる。前記第２ベアリング３５５が前記回転軸３５４を中心に前記吐出内壁２８２の内周面に沿って回転することによって、前記流動調節装置３００の第１方向回転を容易に行うことができる。
【０１７１】
図８を参照して、流動調節装置３００の第１方向回転について簡単に説明する。前記第１ギアモータ３６３が作動すると、前記第１ギア３６０が回転することができる。前記第１ギアモータ３６３は、上から見て、時計方向又は反時計方向に回転し、これに対応して、前記第１ギア３６０は前記時計方向又は反時計方向に回転することができる。
【０１７２】
一例として、前記第１ギアモータ３６３が時計方向に回転すると、前記第１ギア３６０及び第１ギア軸３６２は、前記軸ガイド溝２７７に沿って反時計方向に移動することができる。一方、前記第１ギアモータ３６３が反時計方向に回転すると、前記第１ギア３６０及び第１ギア軸３６２は、前記軸ガイド溝２７７に沿って時計方向に移動することができる。
【０１７３】
前記第１ギア３６０の時計方向又は反時計方向への移動によって、前記流動調節装置３００は、前記第１ギア３６０の移動方向と同一の方向に回転することができる。この過程において、前記第１ベアリング３５３はベアリング溝２８５に沿って移動し、前記第２ベアリング３５５は前記吐出内壁２８２の内周面に沿って移動することができる。このような作用によって、前記流動調節装置３００は、左右方向への設定された経路に沿って安定的に回転することができる。
【０１７４】
図９は、本発明の実施例に係る流動調節装置の構成を示す分解斜視図であり、図１０は、本発明の実施例に係る流動調節装置の上下方向の回転のために第２ガイド機構が作用する様子を示す図である。
【０１７５】
図７及び図９を参照すると、本発明の実施例に係る流動調節装置３００には、前記流動調節装置３００の上下方向の回転をガイドする第２ガイド機構が含まれる。詳細には、前記第２ガイド機構には、前記ガイド本体３５１に固定される固定ガイド部材３５２が含まれる。前記固定ガイド部材３５２の下面に前記中心軸３５４を備えることができる。
【０１７６】
前記固定ガイド部材３５２には、回転ガイド部材３７０の下側を支持し、前記回転ガイド部材３７０の第２方向回転をガイドする第１ガイド面３５２ａが含まれる。前記第１ガイド面３５２ａは、前記固定ガイド部材３５２の上面の少なくとも一部分を形成し、前記回転ガイド部材３７０の回転経路に対応して上方にラウンド状に延びることができる。
【０１７７】
前記固定ガイド部材３５２には、前記回転ガイド部材３７０に接触可能に備えられて、前記回転ガイド部材３７０の回転運動時に発生する摩擦力を低減させることができる第１ガイドベアリング３５９がさらに含まれる。前記第１ガイドベアリング３５９は、前記第１ガイド面３５２ａの側方に位置し得る。
【０１７８】
前記固定ガイド部材３５２には、前記回転ガイド部材３７０の回転のために、第２ギア３６５が挿入され得る第２ギア挿入部３５２ｂがさらに含まれる。前記第２ギア挿入部３５２ｂは、前記第１ガイド面３５２ａの一側に形成される。一例として、前記第２ギア挿入部３５２ｂは、前記第１ガイド面３５２ａの少なくとも一部分が切開された形状を有することができる。
【０１７９】
前記第２ギア３６５は、前記第１ガイド面３５２ａの下側に位置し、前記第２ギア３６５の少なくとも一部分は、前記第２ギア挿入部３５２ｂを貫通して前記第２ギア挿入部３５２ｂの上側に突出するように構成することができる。
【０１８０】
前記第２ガイド機構には、前記第２ギア３６５に結合されて駆動力を提供する第２ギアモータ３６７がさらに含まれる。一例として、前記第２ギアモータ３６７にはステップモータが含まれてもよい。そして、前記第２ガイド機構には、前記第２ギアモータ３６７から前記第２ギア３６５に延びる第２ギア軸３６６がさらに含まれる。前記第２ギア軸３６６は、前記第２ギアモータ３６７の側方に突出し得る。前記第２ギアモータ３６７が駆動されると、前記第２ギア軸３６６と前記第２ギア３６５は共に回転することができる。
【０１８１】
前記第２ガイド機構には、前記固定ガイド部材３５２の上側に回転可能に備えられる回転ガイド部材３７０がさらに含まれる。前記回転ガイド部材３７０は、前記流動ガイド部３２０の下側に結合され得る。
【０１８２】
詳細には、前記回転ガイド部材３７０には、前記固定ガイド部材３５２によって支持される本体部３７１が含まれる。そして、前記本体部３７１には、前記第１ガイド面３５２ａに沿って移動する第２ガイド面３７２が含まれる。前記第２ガイド面３７２は、前記第１ガイド面３５２ａの曲率に対応してラウンド状に形成することができる。
【０１８３】
前記回転ガイド部材３７０には、前記固定ガイド部材３５２に接触可能に備えられて、前記回転ガイド部材３７０の回転運動時に発生する摩擦力を低減させることができる第２ガイドベアリング３７５がさらに含まれる。前記第２ガイドベアリング３７５は、前記第２ガイド面３７２の側方に位置することができる。
【０１８４】
前記回転ガイド部材３７０には、前記第２ギア３６５に連動する第２ラック３７４がさらに含まれる。前記第２ギア３６５及び前記第２ラック３７４には多数のギア歯が形成され、前記多数のギア歯を介して、前記第２ギア３６５と前記第２ラック３７４はギア結合され得る。
【０１８５】
前記第２ギアモータ３６７が駆動すると、前記第２ギア３６５と前記第２ラック３７４の連動によって、前記回転ガイド部材３７０は上下方向に回転する動きを有することができる。したがって、前記流動調節装置３００は、前記回転ガイド部材３７０の動きに従って第２方向回転を行うことができる。
【０１８６】
図１０を参照して、流動調節装置３００の第２方向回転について簡単に説明する。前記第２ギアモータ３６７が作動すると、前記第２ギア３６５が回転することができる。前記第２ギアモータ３６７は、半径方向を基準として時計方向又は反時計方向に回転し、これに対応して、前記第２ギア３６５は前記時計方向又は反時計方向に回転することができる。
【０１８７】
一例として、前記第２ギアモータ３６７が時計方向に回転すると、前記第２ギア３６５は時計方向に回転し、前記第２ラック３７４は前記第２ギア３６５に連動して反時計方向に回転することができる。前記第２ラック３７４の回転によって、前記回転ガイド部材３７０及び前記流動ガイド部３２０は共に回転することができる。結局、前記ファンハウジング３１０は反時計方向に回転することができる。
【０１８８】
一方、前記第２ギアモータ３６７が反時計方向に回転すると、前記第２ギア３６５は反時計方向に回転し、前記第２ラック３７４は前記第２ギア３６５に連動して時計方向に回転することができる。前記第２ラック３７４の回転によって、前記回転ガイド部材３７０及び前記流動ガイド部３２０は共に回転することができる。結局、前記ファンハウジング３１０は時計方向に回転することができる。このような作用によって、前記流動調節装置３００は、上下方向への設定された経路に沿って安定的に回転することができる。
【０１８９】
図１１は、本発明の実施例に係る流動調節装置が第２位置にある様子を示す図であり、図１２は、本発明の実施例に係る流動調節装置が第１位置にあるとき、空気清浄機を介した空気流動を示す図であり、図１３は、本発明の実施例に係る流動調節装置が第２位置にあるとき、空気清浄機を介した空気流動を示す図である。
【０１９０】
図１１は、前記流動調節装置３００が前記第２吐出ガイド装置２８０の上側に突出した状態、すなわち、前記回転ガイド部材３７０が上方に回転して前記ファンハウジング３１０が上方に立てられた状態（第２位置）の様子を示す。
【０１９１】
前記流動調節装置３００は、図１１に示された「Ｂ」の方向に上下回転可能に作動して、前記第１位置（図１参照）又は前記第２位置に位置することができる。前記流動調節装置３００が前記第１位置にあるとき、前記流入グリル３２５は前記第２吐出グリル２８８の上面に載置される。一方、前記流動調節装置３００が前記第２位置にあるとき、前記流入グリル３２５は、前記第２吐出グリル２８８の上面から上方に離隔することができる。
【０１９２】
前記第３ファン３３０は、前記流動調節装置３００が前記第１位置又は前記第２位置にあるかによって選択的に作動することができる。
【０１９３】
詳細には、図１２を参照すると、前記流動調節装置３００が前記第１位置にある状態で、前記第１及び第２ファン１６０，２６０は回転して空気流動を発生させることができる。前記第１ファン１６０の作動によって、前記空気清浄機１０の下部での空気の吸込及び吐出（第１流動）が発生することができる。そして、前記第２ファン２６０の作動によって、前記空気清浄機１０の上部での空気の吸込及び吐出（第２流動）が発生することができる。前記第１流動と第２流動とは前記仕切り装置４００によって分離することができる。
【０１９４】
そして、前記第３ファン３３０は選択的に作動することができる。前記第３ファン３３０が作動すると、前記第２流動はより一層強力に発生することができる。すなわち、前記第２ファン２６０及び第３ファン３３０によって、空気清浄機１０の上部での強い吐出気流が発生し、第２吐出部３０５を介して吐出することができる。勿論、前記第３ファン３３０は作動しなくてもよい。
【０１９５】
一方、前記流動調節装置３００が前記第２位置にある状態で、前記第１及び第２ファン１６０，２６０は回転して前記第１及び第２流動を発生させることができる。そして、前記第３ファン３３０は作動することができる。前記第２位置は、前記流動調節装置３００の第１位置に対して、上方に設定角度だけ傾斜した位置であるものと理解される。一例として、前記設定角度は約６０°であってもよい。
【０１９６】
詳細には、図１３を参照すると、前記第３ファン３３０の作動によって、前記第２吐出ガイド装置２８０を介して吐出される空気の少なくとも一部の空気は、前記第３ファンハウジング３１０の内部に流入し、前記第３ファン３３０を経て前記第２吐出部３０５から吐出され得る。このような作用によって、浄化された空気は、空気清浄機１０から遠く離れた位置まで到達することができる。
【０１９７】
そして、前記流動調節装置３００は、前記第２位置にある状態で、軸方向を基準として左右方向に回転することができる。図１１は、前記流動調節装置３００が前記第２位置にある状態で一方向（図１１を基準として左側方向）に向かうように位置した様子を示す。ここで、前記一方向は、空気清浄機１０の前方を中心に左側４５°に向かう方向であり得る。
【０１９８】
前記流動調節装置３００は、前記第２位置にある状態で他方向に向かうように位置してもよい。ここで、前記他方向は、空気清浄機１０の前方を中心に右側４５°に向かう方向であってもよい。すなわち、前記流動調節装置３００の回転角度は約９０°を形成することができる。
【０１９９】
このように、前記流動調節装置３００が軸方向を基準として左右方向に回転できるので、空気清浄機１０を中心に様々な方向に遠距離まで吐出気流を送ることができるという効果が奏される。
【０２００】
図１４は、本発明の実施例に係る空気清浄機の制御的な構成を示すブロック図であり、図１５は、本発明の実施例に係る空気清浄機の制御方法を示すフローチャートである。
【０２０１】
図１４を参照すると、本発明の実施例に係る空気清浄機１０にはセンサ装置２３７が含まれる。前記センサ装置２３７には塵埃センサ２３７ａが含まれ得る。前記塵埃センサ２３７ａは、前記上部モジュール２００に吸い込まれる空気中の設定された大きさ以下の不純物又は塵埃の量を感知することができる。一例として、前記塵埃センサ２３７ａは、２．５μｍ以下の超微細塵埃の量を感知するように構成することができる。したがって、前記塵埃センサ２３７ａを「ＰＭ２．５塵埃センサ」と命名することができる。
【０２０２】
前記センサ装置２３７にはガスセンサ２３７ｂがさらに含まれ得る。前記ガスセンサ２３７ｂは、前記上部モジュール２００に吸い込まれる空気に含まれた有害ガス、一例として、可燃性ガス、還元性ガス、有機溶剤ガスの量を感知することができる。
【０２０３】
【表１】
2019504278.tif 000003
【０２０４】
前記塵埃センサ２３７ａ及び前記ガスセンサ２３７ｂで感知された情報に基づいて、空気の状態、すなわち、空気質レベルを決定することができる。詳細には、前記塵埃センサ２３７ａと前記ガスセンサ２３７ｂから出力された値を組み合わせて、前記空気質レベルを決定することができる。一例として、前記空気質レベルは、レベル１からレベル７まで区分することができ、前記レベルが高いほど、空気の状態は良くないものと認識することができる。
【０２０５】
そして、前記空気質レベルが１〜２である区間では、空気汚染度（清浄度）は“良い状態”であり、空気質レベルが３〜４である区間では、空気汚染度（清浄度）は“普通の状態”であり、空気質レベルが５〜６である区間では、空気汚染度（清浄度）は“悪い状態”であり、空気質レベルが７である区間では、空気汚染度（清浄度）は“非常に悪い状態”であると認識することができる。
【０２０６】
前記ディスプレイ装置６００には、空気汚染度に関するレベル情報を表示することができる。一例として、前記空気汚染度に関する情報は色相で表示することができる。詳細には、前記空気汚染度が“良い状態”であると認識されると、前記ディスプレイ装置６００は“緑色”を出力する。
【０２０７】
一方、前記空気汚染度が“普通の状態”であると認識されると、前記ディスプレイ装置６００は“黄色”を出力し、前記空気汚染度が“悪い状態”であると認識されると、前記ディスプレイ装置６００は“橙色”を出力することができる。そして、前記空気汚染度が“非常に悪い状態”であると認識されると、前記ディスプレイ装置６００は“赤色”を出力する。このように、前記空気汚染度に関する情報が区分可能な色相で表示されることによって、使用者は、空気質に関する情報を直観的に認識できるという利点がある。
【０２０８】
前記空気清浄機１０には、使用者が所定の命令を入力できる入力部７１０がさらに含まれる。前記入力部７１０には、前記空気清浄機１０の電源をオン又はオフすることができる電源入力部７１１が含まれる。
【０２０９】
前記入力部７１０には、前記空気清浄機１０の電源がオンされた状態で、前記空気清浄機１０の運転モードに関する命令を入力できる運転モード入力部７１３がさらに含まれる。
【０２１０】
前記空気清浄機１０の運転モードには、手動運転モード、自動運転モード、及び下部モジュール集中運転モードが含まれ得る。使用者は、前記運転モード入力部７１３を介して、前記手動運転モード、自動運転モード、及び下部モジュール集中運転モードのいずれか一つの運転モードを選択することができる。一例として、前記運転モード入力部７１３には、各運転モードを選択できる別途の入力部が含まれ得る。
【０２１１】
前記運転モード入力部７１３を介して前記手動運転モードが選択された場合、使用者は、運転されるモジュール（装置）の数又は風の強度（風量）を入力することができる。詳細には、前記入力部７１０には、運転されるモジュールの数を決定する清浄モード入力部７１５がさらに含まれる。前記モジュールには、３つのモジュール、すなわち、第１空気清浄モジュール１００、第２空気清浄モジュール２００、及び流動調節装置３００が含まれ得る。前記３つのモジュールは、選択的に又は独立して運転することができる。
【０２１２】
前記清浄モード入力部７１５は、前記３つのモジュールのうち、運転されるモジュールの数を決定できるように構成される。詳細には、前記清浄モード入力部７１５には、“シングル清浄入力部”、“デュアル清浄入力部”、及び“循環清浄入力部”が含まれ得る。前記シングル清浄入力部は、前記３つのモジュールのうち、第１空気清浄モジュール１００を運転するために入力できる入力部であり、前記デュアル清浄入力部は、前記第１及び第２空気清浄モジュール１００，２００を運転するために入力できる入力部として理解される。そして、前記循環清浄入力部は、前記第１及び第２空気清浄モジュール１００，２００と前記流動調節装置３００を運転するために入力できる入力部として理解される。
【０２１３】
前記シングル清浄入力部が入力されると、前記空気清浄機１０は、下部モジュール１００の単独運転が行われる“シングルモード”で運転され、前記デュアル清浄入力部が入力されると、前記空気清浄機１０は、上、下部モジュール１００，２００の組み合わせ運転が行われる“デュアルモード”で運転され得る。そして、前記循環清浄入力部が入力されると、前記空気清浄機１０は、前記上、下部モジュール１００，２００と流動調節装置３００の組み合わせ運転が行われる“循環モード”で運転され得る。
【０２１４】
前記入力部７１０には、運転されるモジュールから吐出される空気の強度、すなわち風量を決定できる風量入力部７１７がさらに含まれる。使用者は、前記清浄モード入力部７１５を介して運転されるモジュールを決定した後、前記風量入力部７１７を介して当該モジュールから吐出される風量を決定することができる。一例として、風量は、“弱風”、“中風”、及び“強風”に区分することができる。勿論、決定された風量に応じて、前記第１ファン１６０、第２ファン２６０、または第３ファン３３０の回転数が決定され得る。
【０２１５】
一方、前記運転モード入力部７１３を介して前記自動運転モードが選択された場合、前記空気清浄機１０は、前記センサ装置２３７から認識された空気汚染度に基づいて、前記運転されるモジュールの数及び風の強度（風量）を決定することができる。
【０２１６】
一例として、前記空気汚染度レベルが“良い状態”又は“普通の状態”である場合、前記モジュールのうち第１空気清浄モジュール１００が運転されるものと決定され、前記空気汚染度レベルが“悪い状態”である場合、前記モジュールのうち第１及び第２空気清浄モジュール１００，２００が運転されるものと決定され得る。
【０２１７】
前記“普通の状態”の汚染度レベル、すなわち、空気質レベル４は、前記第１空気清浄モジュール１００のみを運転できる第１基準汚染度として理解される。そして、前記“悪い状態”の汚染度レベル、すなわち、空気質レベル６は、前記第１及び第２空気清浄モジュール１００，２００を運転できる第２基準汚染度として理解される。すなわち、汚染度レベルが前記第１基準汚染度以上、第２基準汚染度以下である場合、前記第１及び第２空気清浄モジュール１００，２００が運転され得る。
【０２１８】
前記第２基準汚染度以上の汚染度レベルでは、前記３つのモジュール全体が運転され得る。詳細には、前記空気汚染度レベルが“非常に悪い状態”である場合、前記３つのモジュール全体、すなわち、第１及び第２空気清浄モジュール１００，２００と流動調節装置３００が運転されるものと決定され得る。前記流動調節装置３００が運転されるモジュールとして決定される場合、前記流動調節装置３００は、第２位置（図１３参照）に移動して運転され得る。
【０２１９】
前記空気汚染度の情報に基づいて運転されるモジュールが決定されると、前記運転が決定されたモジュールから吐出される風量は予め設定されていてもよい。一例として、予め設定された風量は“弱風”であってもよい。
【０２２０】
一方、前記自動運転モードを介して、所定のモジュールが“弱風”で運転される過程で、前記風量入力部７１７が入力されると、運転されるモジュールから吐出される風量は予め設定された情報によって調節され得る。使用者が前記風量入力部７１７を入力したことは、使用者がさらに強い風量を望むものと認識できるためである。
【０２２１】
一例として、前記空気汚染度レベルが“良い状態”である場合には、前記第１空気清浄モジュール１００が“弱風”で運転されても空気清浄レベルを良好に維持できるので、前記第１空気清浄モジュール１００の風量を変化させない。そして、前記ディスプレイ装置６００を介して、使用者にガイドメッセージを出力することができる。一例として、前記ガイドメッセージには、“空気の状態が良好であり、現在の動作のみで清浄状態維持可能”が含まれ得る。それにもかかわらず、使用者が強い風量を要求する場合に、前記ディスプレイ装置６００は、“手動運転モード”への切り替えをガイドすることができる。
【０２２２】
一方、前記空気汚染度レベルが“普通の状態”である場合には、前記第１空気清浄モジュール１００の風量は“中風”に調節することができる。そして、使用者に、前記第１空気清浄モジュール１００の風量が“弱風”から“中風”に調節されたことを示すメッセージを出力することができる。
【０２２３】
一方、前記空気汚染度レベルが“悪い状態”である場合には、前記第１及び第２空気清浄モジュール１００，２００の風量は、それぞれ“中風”に調節することができる。そして、使用者に、前記第１及び第２空気清浄モジュール１００，２００の風量が“弱風”から“中風”に調節されたことを示すメッセージを出力することができる。
【０２２４】
一方、前記空気汚染度レベルが“非常に悪い状態”である場合には、前記第１及び第２空気清浄モジュール１００，２００と前記流動調節装置３００の風量は、それぞれ“強風”に調節することができる。そして、使用者に、前記第１及び第２空気清浄モジュール１００，２００と前記流動調節装置３００の風量が“弱風”から“強風”に調節されたことを示すメッセージを出力することができる。
【０２２５】
一方、前記運転モード入力部７１３を介して前記下部モジュール集中運転モードが選択された場合、前記センサ装置２３７から認識された空気汚染度に基づいて、前記第１空気清浄モジュール１００の風量が決定され、前記決定された風量によって前記第１空気清浄モジュール１００の運転が行われ得る。前記下部モジュール集中運転モードが選択されると、相対的に汚染度が高い清浄空間の下部領域を、相対的に低い電力を消費しながら先に清浄することができる。特に、呼吸器の機能が弱い幼児又は乳児が清浄空間の下部領域にいる場合、前記下部モジュール集中運転モードの効果はさらに顕著になり得る。前記下部モジュール集中運転モードをベビーケアモード（ｂａｂｙ  ｃａｒｅ  ｍｏｄｅ）と命名することができる。
【０２２６】
前記センサ装置２３７で感知された汚染度が増加するにつれて、前記第１空気清浄モジュール１００から吐出される風量は増加するように決定され得る。
【０２２７】
一例として、前記空気汚染度レベルが“良い状態”又は“普通の状態”である場合には、前記第１空気清浄モジュール１００の風量は“弱風”として決定され、前記空気汚染度レベルが“悪い状態”である場合には、前記第１空気清浄モジュール１００の風量は“中風”として決定され得る。そして、前記空気汚染度レベルが“非常に悪い状態”である場合には、前記第１空気清浄モジュール１００の風量は“強風”として決定され得る。
【０２２８】
このような方式によれば、使用者が自動運転モードを選択したか、または下部モジュール集中運転モードを選択したかによって、同一の空気汚染度レベルであっても、運転されるモジュールの数（種類）又は風量が異なるように制御され得る。
【０２２９】
一例として、空気汚染度が基準汚染度の範囲、一例として、“悪い状態”にあるとき、前記自動運転モードが選択されると、前記制御部７００は、前記第１及び第２空気清浄モジュール１００が第１風量をそれぞれ吐出するように制御することができる。反面、空気汚染度が前記基準汚染度の範囲、一例として、“悪い状態”にあるとき、前記下部モジュール集中運転モードが選択されると、前記制御部７００は、前記第１空気清浄モジュール１００が第２風量を吐出するように制御することができる。ここで、前記第２風量は、前記第１風量よりも大きくなり得る。このような制御によれば、カスタム運転を行うことができるという効果が奏される。
【０２３０】
前記空気清浄機１０には、前記空気清浄機１０の運転のために予め設定された情報を格納するメモリ部７２０がさらに含まれる。前記メモリ部７２０には、表１に記載された情報を格納することができる。すなわち、前記センサ装置２３７で感知された値と、空気質レベルに関するマッピング情報、汚染度レベルに関するマッピング情報、ディスプレイ色相に関するマッピング情報を格納することができる。そして、前記メモリ部７２０には、前記自動運転モード又は前記下部モジュール集中運転モードが選択された場合に運転されるモジュールの数、及び風量に関する情報が格納され得る。
【０２３１】
前記空気清浄機１０には、前記センサ装置２３７で感知された情報、前記入力部７１０を介して入力された情報、または前記メモリ部７２０に格納された情報に基づいて、第１ファンモータ１６５、第２ファンモータ２６５、第３ファンモータ３３５、第１ギアモータ３６３、第２ギアモータ３６７、または前記ディスプレイ装置６００の駆動を制御する制御部７００がさらに含まれる。前記制御部７００は、前記空気清浄機１０の運転モードに応じて、前記３つのモジュールの運転の有無を決定し、入力又は予め格納された情報によって、前記３つのモジュールの風量を決定することができる。
【０２３２】
図１５を参照して、本発明の実施例に係る空気清浄機１０の制御方法を説明する。
【０２３３】
空気清浄機１０がオンされ、運転モードが選択され得る（Ｓ１１）。前記選択された運転モードが手動運転モードであると、使用者は、清浄モード入力部７１５を介して、３つのモジュールのうち運転されるモジュールを入力し、風量入力部７１７を介して、運転が決定されたモジュールの吐出風量を決定することができる。すなわち、使用者は、空気清浄機のシングルモード、デュアルモード、及び循環モードのいずれか１つのモードを選択して、空気清浄機１０を運転することができる（Ｓ１３，Ｓ１４）。
【０２３４】
前記選択された運転モードが自動運転モードであると、センサ装置２３７を介して清浄空間の空気中に含まれた塵埃又はガスの濃度を感知し、感知された結果によって、空気質レベル、すなわち空気汚染度レベルを認識することができる（Ｓ１５，Ｓ１６）。
【０２３５】
前記認識された空気汚染度レベルに基づいて、前記制御部７００は、運転されるモジュール又は風量を決定することができる。詳細には、前記空気汚染度に関するレベルが増加するにつれて、前記複数の空気清浄モジュール１００，２００及び流動調節装置３００のうち、運転される装置の数が増加することができる。
【０２３６】
一例として、前記空気汚染度に関するレベルが相対的に低い場合、すなわち、汚染度レベルが“良い状態”又は“普通の状態”である場合、前記制御部７００は、前記第１空気清浄モジュール１００が運転されるように前記空気清浄機１０を制御することができる。
【０２３７】
反面、前記空気汚染度に関するレベルが中間レベルである場合、すなわち、汚染度レベルが“悪い状態”である場合、前記制御部７００は、前記第１及び第２空気清浄モジュール１００，２００が運転されるように前記空気清浄機１０を制御することができる。
【０２３８】
そして、前記空気汚染度に関するレベルが高いレベルである場合、すなわち、汚染度レベルが“非常に悪い状態”である場合、前記制御部７００は、前記第１及び第２空気清浄モジュール１００，２００と流動調節装置３００が運転されるように前記空気清浄機１０を制御することができる。
【０２３９】
このとき、前記運転されるモジュールの風量は“弱風”に予め設定されていてもよいが、前記風量入力部７１７が入力されると、前記運転されるモジュールの風量は変更可能である（Ｓ１７）。
【０２４０】
前記選択された運転モードが下部モジュール集中運転モードであると、センサ装置２３７を介して清浄空間の空気中に含まれた塵埃又はガスの濃度を感知し、感知された結果によって、空気質レベル、すなわち空気汚染度レベルを認識することができる（Ｓ１８，Ｓ１９）。
【０２４１】
前記認識された空気汚染度レベルに基づいて、前記制御部７００は、前記第１空気清浄モジュール１００の風量を決定することができる。詳細には、前記空気汚染度に関するレベルが増加するにつれて、前記第１空気清浄モジュール１００の風量を増加させることができる（Ｓ２０）。
【０２４２】
図１６及び図１７は、本発明の実施例に係る空気清浄機の下部モジュールのみが駆動するとき、空気流動の様子を示す図である。
【０２４３】
図１６を参照すると、本発明の実施例に係る空気清浄機１０は、下部モジュール１００のみが運転されるように制御することができる。一例として、空気清浄機１０の運転モードのうち、手動運転モード、自動運転モード、及び下部モジュール集中運転モードにおいて、それぞれこのような運転が可能である。
【０２４４】
前記下部モジュール１００が運転されると、清浄空間５０の空気は、第１吸込部１０２を介して前記下部モジュール１００に吸い込まれ得る。吸い込まれた汚染空気は、第１フィルター部材１２０を通過しながら浄化され、第１ファン１６０を経て前記第１吐出部１０５を介して前記清浄空間に排出され得る。
【０２４５】
空気清浄機１０に備えられる３つのモジュールのうち一つのモジュールが運転されるので、前記空気清浄機１０を介して循環する空気の量、すなわち清浄能力は相対的に小さい。したがって、清浄空間５０が相対的に小さい場合、例えば、小さい部屋の清浄を行う場合、使用者は、手動運転モードを選択し、シングルモードを行うことができる。
【０２４６】
一例として、前記空気清浄機１０の清浄能力は、１分当たりＱ1（ｍ3）を有することができる。勿論、前記清浄能力Ｑ1は、前記第１ファン１６０の回転速度に応じて多少異なり得る。
【０２４７】
図１８及び図１９は、本発明の実施例に係る空気清浄機の上部モジュール及び下部モジュールが駆動するとき、空気流動の様子を示す図である。
【０２４８】
本発明の実施例に係る空気清浄機１０は、下部モジュール１００及び上部モジュール２００が運転されるように制御することができる。一例として、空気清浄機１０の運転モードのうち、手動運転モード及び自動運転モードにおいて、それぞれこのような運転が可能である。
【０２４９】
前記下部モジュール１００及び上部モジュール２００が運転されると、第１及び第２吸込部１０２，２０２を介して前記下部モジュール１００及び上部モジュール２００にそれぞれ吸い込まれ得る。前記下部モジュール１００に吸い込まれた汚染空気は、第１フィルター部材１２０を通過しながら浄化され、第１ファン１６０を経て前記第１吐出部１０５を介して清浄空間５０ａに排出され得る。
【０２５０】
そして、前記上部モジュール２００に吸い込まれた汚染空気は、第２フィルター部材２２０を通過しながら浄化され、第２ファン２６０を経て第２吐出部３０５を介して前記清浄空間に排出され得る。
【０２５１】
一方、前記第３ファンモータ３３５もまた設定された回転数で駆動され得る。もし、前記上部モジュール２００が運転されているのに、前記第３ファン３３０が駆動しない場合、前記第３ファン３３０は、前記第２ファン２６０を通過した空気に対して抵抗体として作用することがある。したがって、前記第３ファン３３０の回転数は、前記第２ファン２６０の回転数に対応するように調節することができる。
【０２５２】
空気清浄機１０に備えられる３つのモジュールのうち２つのモジュールが運転されるので、前記空気清浄機１０を介して循環する空気の量、すなわち清浄能力は、下部モジュール１００のみが運転される場合に比べて相対的に大きくなり得る。したがって、清浄空間５０ａが相対的に大きい場合、例えば、大きな部屋の清浄を行う場合、使用者は、手動運転モードを選択し、デュアルモードを行うことができる。
【０２５３】
一例として、前記空気清浄機１０の清浄能力は、１分当たりＱ2（ｍ3）を有することができる。勿論、前記清浄能力Ｑ2は、前記第１ファン１６０の回転速度に応じて多少異なり得る。そして、前記清浄能力Ｑ2は、前記清浄能力Ｑ1よりは大きい値を有することができる。
【０２５４】
図２０及び図２１は、本発明の実施例に係る空気清浄モジュール及び流動調節装置が駆動するとき、空気流動の様子を示す図である。
【０２５５】
本発明の実施例に係る空気清浄機１０は、下部モジュール１００及び上部モジュール２００と、流動調節装置３００とが運転されるように制御することができる。一例として、空気清浄機１０の運転モードのうち、手動運転モード及び自動運転モードにおいて、それぞれこのような運転が可能である。
【０２５６】
前記下部モジュール１００及び上部モジュール２００と、前記流動調節装置３００とが運転されると、第１及び第２吸込部１０２，２０２を介して前記下部モジュール１００及び上部モジュール２００にそれぞれ吸い込まれ得る。前記下部モジュール１００に吸い込まれた汚染空気は、第１フィルター部材１２０を通過しながら浄化され、第１ファン１６０を経て前記第１吐出部１０５を介して清浄空間５０ｂに排出され得る。
【０２５７】
そして、前記上部モジュール２００に吸い込まれた汚染空気は、第２フィルター部材２２０を通過しながら浄化され、第２ファン２６０を経て第２吐出部３０５を介して前記清浄空間に排出され得る。このとき、前記流動調節装置３００の第３ファン３３０を共に駆動できるので、前記第２ファン２６０を通過した空気は、前記第３ファン３３０を通過しながらさらに強い送風力を有することができる。一例として、前記第３ファン３３０の回転数は、前記第２ファン２６０の回転数以上であり得る。
【０２５８】
前記流動調節装置３００は、前記第２ガイド機構によって、上方に回転する動き（図１３及び図２１参照）を有することができ、これによって、空気清浄機１０を基準として上側に向かって空気を吐出することができる。したがって、前記空気清浄機１０から相対的に遠い距離まで清浄空気を吐出することができる。
【０２５９】
そして、前記流動調節装置３００は、前記第１ガイド機構によって、左右方向に回転する動き（図１１のＡ参照）を行うので、前記空気清浄機１０を基準として左側領域及び右側領域に清浄空気を吐出することができる。
【０２６０】
空気清浄機１０に備えられる３つのモジュールが全て運転されるので、前記空気清浄機１０を介して循環する空気の量、すなわち清浄能力は、下部モジュール１００のみが運転される場合、または上、下部モジュール１００，２００が運転される場合に比べて相対的に大きくなり得る。したがって、清浄空間５０ｂが相対的に大きい場合、例えば、事務室又は大きな居間（部屋）の清浄を行う場合、使用者は、手動運転モードを選択し、循環モードを行うことができる。
【０２６１】
一例として、前記空気清浄機１０の清浄能力は、１分当たりＱ3（ｍ3）を有することができる。勿論、前記清浄能力Ｑ3は、前記第１ファン１６０の回転速度に応じて多少異なり得る。そして、前記清浄能力Ｑ3は、前記清浄能力Ｑ1又は清浄能力Ｑ2よりは大きい値を有することができる。
【０２６２】
このような空気清浄機の運転によれば、清浄空間の大きさ、空気汚染度、または清浄空間の下部領域集中運転の必要性に応じて最適化された空気清浄機の運転が可能であるという利点がある。
【産業上の利用可能性】
【０２６３】
本実施例によれば、空気清浄モジュール及び前記空気清浄モジュールを通過した浄化空気を遠い距離まで吐出できる流動調節装置を含む多数のモジュールが備えられ、清浄空間の大きさ又は所望の空気清浄量に応じて、前記多数のモジュールを選択的に駆動できるので、空気清浄効率が改善され、使用者の満足度が増加するので、産業上の利用可能性が顕著である。
【図１】
2019504278.tif 000004
【図２】
2019504278.tif 000005
【図３】
2019504278.tif 000006
【図４】
2019504278.tif 000007
【図５】
2019504278.tif 000008
【図６】
2019504278.tif 000009
【図７】
2019504278.tif 000010
【図８】
2019504278.tif 000011
【図９】
2019504278.tif 000012
【図１０】
2019504278.tif 000013
【図１１】
2019504278.tif 000014
【図１２】
2019504278.tif 000015
【図１３】
2019504278.tif 000016
【図１４】
2019504278.tif 000017
【図１５】
2019504278.tif 000018
【図１６】
2019504278.tif 000019
【図１７】
2019504278.tif 000020
【図１８】
2019504278.tif 000021
【図１９】
2019504278.tif 000022
【図２０】
2019504278.tif 000023
【図２１】
2019504278.tif 000024
【国際調査報告】
2019504278.tif 000025
2019504278.tif 000026
2019504278.tif 000027
2019504278.tif 000028